(57)【要約】【課題】側部床部を前方へ起上させるための構造の、組み立て精度や製作精度の容易化を図るようにしたこと。【解決手段】床板体の背床部を起伏駆動する背上げ駆動機構と、背床部の中央背部の背面に軸線を中央背部の幅方向に沿わせて回転可能に支持された作動軸５６と、作動軸の中途部に設けられたアーム５８と、アームに一端が固定され他端が背上げ駆動機構を作動させて背床部を起上方向に駆動したときに作動軸を所定方向に回動させるワイヤ５９と、作動軸の両端部に作動軸の周方向に対して角度変更可能に設けられその角度によって背床部が起立方向に駆動されて作動軸がワイヤによって回動させられたとき、一対の側部背部を前方へ回動させる作動位置と、前方へ回動させることのない非作動位置とのいずれかに位置決めされる押圧部材を具備する。【選択図】  図６
2020081832.tif 000002
【特許請求の範囲】
【請求項１】
ベッドフレームと、
前記ベッドフレームに固定される固定床部、中央背部及びこの中央背部の両側に前方向に回動するよう連結された一対の側部背部を有して前記固定床部に対して回動可能に設けられた背床部を備えた床板体と、
前記床板体の前記背床部を起伏駆動する背上げ駆動機構と、
前記中央背部の背面に軸線を前記中央背部の幅方向に沿わせて回転可能に支持された作動軸と、
この作動軸の中途部に設けられた取付け部材と、
この取付け部材に一端が固定され他端が前記背上げ駆動機構を作動させて前記背床部を起上方向に駆動したときに張力が発生する部分に固定して設けられ、前記張力によって前記作動軸を所定方向に回動させる伝動部材と、
前記作動軸の両端部に前記作動軸の周方向に対して角度変更可能に設けられその角度によって前記背床部が起立方向に駆動されて前記作動軸が前記伝動部材によって回動させられたとき、一対の前記側部背部を前方へ回動させる作動位置と、前方へ回動させることのない非作動位置とのいずれかに位置決めされる押圧部材と
を具備したことを特徴とするベッド装置。
【請求項２】
ベッドフレームと、
中央背部及びこの中央背部の両側に前方向に回動するよう連結された一対の側部背部からなる背床部を備えた床板体と、
前記床板体の前記背床部を起伏駆動する背上げ駆動機構と、
前記中央背部の背面に軸線を前記中央背部の幅方向に沿わせて回転可能に支持された作動軸と、
前記作動軸の両端部に前記作動軸の周方向に対して角度変更可能に設けられその角度によって前記背床部が起立方向に駆動されて前記作動軸が回動させられたとき、一対の前記側部背部を前方へ回動させる作動位置と、前方へ回動させることのない非作動位置とのいずれかに位置決めされる押圧部材と
を具備したことを特徴とするベッド装置。
【請求項３】
前記取付け部材は一端が前記作動軸に連結され他端が前記作動軸の径方向外方に突出したアーム状であって、前記取付け部材の他端に前記伝動部材の一端が連結されていることを特徴とする請求項１記載のベッド装置。
【請求項４】
前記押圧部材は前記作動軸に位置決め機構によって前記作動位置と前記非作動位置とに位置決め可能に設けられていて、
前記位置決め機構は、前記作動軸の端部に回転可能かつ軸方向に移動可能に挿入支持される支軸と、この支軸の先端部に設けられたストッパ部材と、このストッパ部材に軸線を前記作動軸の軸線に対して所定の角度で傾斜させて設けられ先端に前記押圧部材が設けられた取付け軸と、
前記作動軸の端部に設けられ前記背上げ駆動機構によって前記背床部を起状方向に駆動したときに、前記取付け部材の他端に設けられた前記押圧部材を前記作動位置に位置決め保持する保持部材と
によって構成されていることを特徴とする請求項１又は請求項２記載のベッド装置。
【請求項５】
前記伝動部材は長さ調整可能に設けられ、前記ベッドフレームは長さ調整可能な構成となっていて、前記伝動部材の長さは前記ベッドフレームの長さに応じて設定されることを特徴とする請求項１記載のベッド装置。
【請求項６】
前記背床部を起状方向に駆動したとき前記背床部の前記側部背部を前方へ駆動する機構を構成する部材と、前記背上げ機構を構成する部材とが重複していないことを特徴とする請求項１又は請求項２記載のベッド装置。
【請求項７】
ベッドフレームと、
前記ベッドフレームに固定される固定床部、この固定床部に対して回動可能に設けられた腰床部、及び背床部を備えた床板体と、
前記床板体の前記腰床部と前記背床部とを起伏駆動する背上げ機構と、
前記背床部の背面の前記腰床部側の端部に設けられ側辺に円弧状の第１のガイド溝が形成されたヘッドアップガイドと、
一端が前記腰床部に固定され前記背床部と前記腰床部との背面側にわたって設けられたヘッドアップレールと、
一端が前記ヘッドアップガイドに枢着され他端に前記ヘッドアップレールに転動可能に係合したヘッドアップローラを有し、前記ヘッドアップローラを前記ヘッドアップレールに沿って転動させることで、前記ヘッドアップガイドとともに前記一端を支点として回動して前記背床部を前記腰床部に対して前方へ回動させるヘッドアップアームと、
端部が前記第１のガイド溝に挿通支持されて設けられ前記第１のガイド溝の一端に位置するときに前記ヘッドアップアームによって前記背床部を前方へ回動させない第１の位置と、前記第１のガイド溝の他端に位置するときに前記ヘッドアップアームによって前記背床部を前方へ回動させる第２の位置とに選択的に位置決めされる位置決め部材と
を具備したことを特徴とするベッド装置。
【請求項８】
前記ヘッドアップガイドの側辺には、前記第１のガイド溝と並んだ円弧状の第２のガイド溝が形成されているとともに、一端が前記ヘッドアップガイドの側面に枢着され他端に前記位置決め部材の端部が連結されたアーム部材が設けられ、
前記第２のガイド溝には、前記アーム部材を回動操作することで前記位置決め部材を前記第１のガイド溝の一端部と他端部との間で移動させる操作部材が設けられていることを特徴とする請求項７記載のベッド装置。
【請求項９】
前記背床部が前記背上げ機構によって起上方向に駆動される前の倒伏状態にあるとき、前記位置決め部材を前記第１のガイド溝の他端に位置する前記第２の位置に位置決めしておくことで、前記背床部は前記背上げ機構による前記背床部の起上に連動して前方へ倒伏させることができることを特徴とする請求項７記載のベッド装置。
【請求項１０】
ベッドフレームと、
前記ベッドフレームに固定される固定床部、中央背部及びこの中央背部の両側に前方向だけに回動するよう連結された一対の側部背部を有して前記中央背部の下端が前記固定床部に対して回動可能に設けられた背床部を備えた床板体と、
前記床板体の前記背床部を起伏駆動する背上げ機構と、
前記背上げ機構によって前記床板体の前記背床部が起上方向に駆動されたときに前記一対の側部背部を前方へ回動させるサイドアップ機構と、
前記背上げ機構によって前記床板体の前記背床部が起上方向に駆動されたときに前記背床部を前方へ回動させるヘッドアップ機構を備え、
前記サイドアップ機構と前記ヘッドアップ機構は、どちらか一方或いは両方同時に作動させることができることを特徴とするベッド装置。
【請求項１１】
ベッドフレームと、
前記ベッドフレームに一端が回動可能に設けられた腰床部及びこの腰床部の他端に一端が回動可能に連結された背床部を有する床板体と、
一端を支点として他端が倒伏した状態から上昇方向に回動駆動されるとともに、他端側に背上げローラが設けられた背上げアーム、及び前記腰床部の下面側に一端部が取付けられ前記背上げローラが転動可能に係合した背上げレールを有し、前記床板体の前記背床部を起伏駆動する背上げ駆動機構と、
前記背上げ駆動機構によって前記床板体の前記背床部が起上方向に駆動されたときに前記背床部を前方へ回動させるヘッドアップ機構を備え、
前記ヘッドアップ機構は、
前記背床部の背面に軸線を前記背床部の幅方向に沿わせて回転可能に支持された作動軸と、
前記作動軸に一端が回動不能に取付けられた取付けアームと、
前記取付けアームの他端に一端が回動可能に連結された可動アームと、
前記可動アームを前記取付けアームに対して回動不能に保持して前記背床部を下端を支点として前方へ傾斜させるロック機構と、
前記可動アームの他端に前記背上げレールの他端部に沿って移動可能に設けられ前記ロック機構によって前記背床部が下端を支点として前方へ傾斜した状態で保持されたとき、前記背床部が前方へ傾斜する角度を制限する規制手段と
を具備したことを特徴とするベッド装置。
【請求項１２】
前記背床部は中央背部及びこの中央背部の両側に前方向にだけ回動するよう連結された一対の側部背部を有して構成され、前記背上げ駆動機構によって前記背床部が起上方向に駆動されたときに、一対の前記側部背部を前方へ回動させるサイドアップ機構を備え、
前記サイドアップ機構は、
前記背上げ駆動機構によって前記床板体の前記背床部が起上方向に駆動されたときに前記作動軸を所定方向に回動させる伝動部材と、
前記作動軸の両端部に前記作動軸の周方向に対して角度変更可能に設けられその角度によって前記背床部が起立方向に駆動されて前記作動軸が前記伝動部材によって回動させられたとき、一対の前記側部背部を前方へ回動させる作動位置と、前方へ回動させることのない非作動位置とのいずれかに位置決めされる押圧部材と、
によって構成されていることを特徴とする請求項１１記載のベッド装置。
【請求項１３】
前記ロック機構によって前記可動アームを前記取付けアームに一体化させるか否かの設定と、前記押圧部材を前記作動位置と前記非作動位置のいずれに設定するかによって、前記背床部の起上方向への駆動に応じて前記ヘッドアップ機構と前記サイドアップ機構を選択的に作動させることができることを特徴とする請求項１２記載のベッド装置。
【発明の詳細な説明】
【技術分野】
【０００１】
この発明は身体が不自由な利用者が使用するのに好適する背上げ式のベッド装置に関する。
【背景技術】
【０００２】
たとえば、身体が不自由な利用者が利用するベッド装置として背上げ式のベッド装置が利用されている。背上げ式のベッド装置は、ベッドフレームに設けられる床板体を背床部、腰床部、脚床部などの複数の部分に分割し、回動可能に連結される。前記背床部は利用者の上半身に対応位置するようになっている。そして、前記背床部を背上げ機構によって起伏駆動できるようにしている。
【０００３】
上述した背上げ式のベッド装置において、体力が低下した利用者などの場合、前記背床部を起上させて上半身が起こされたとき、その姿勢を維持することができず、側方に倒れるという虞がある。そこで、特許文献１に示されるように、上半身が起こされた利用者が側方に倒れるのを防止することができるベッド装置が提案されている。
【０００４】
特許文献１に示されたベッド装置は、背床部が中央背部と、この中央背部の両側に回動可能に連結された一対の側部背部とによって構成されている。前記背床部は発泡樹脂製であって、一対の前記側部背部の背面にはそれぞれ傾斜面を有する一対の突条部が一体成形されている。この突条部には背上げ時に上端となる端部に傾斜部が形成されている。
【０００５】
一方、前記背上げ床部を起伏駆動する背上げアームには、背上げローラの他に押し上げローラが設けられている。前記押し上げローラは、前記背上げアームを上昇方向に回動するよう駆動して前記背上げ床部を起上させるとき、起上する前記側部背部の背面に設けられた前記突条部に前記傾斜面から乗り上げて転動する。それによって、前記突条部の高さに応じて前記側部背部は前記中央背部の前面側に押圧される。
【０００６】
それによって、一対の前記側部背部は前記中央背部に連結された幅方向の一側を支点として前方へ回動するから、回動した一対の前記側部背部によって上半身が起こされた利用者の頭部が側方へ倒れるのが防止されることになる。
【先行技術文献】
【特許文献】
【０００７】
【特許文献１】特許第３９１０８７３号公報
【発明の概要】
【発明が解決しようとする課題】
【０００８】
上述した従来の構造によると、前記背上げ床部の前記側部背部の背面にそれぞれ一対の前記突条部を一体成形し、背上げ時に前記背上げアームに設けられた前記押し上げローラを前記突条部の上面を転動させる。それによって、前記押し上げローラ前記側部背部を押圧して回動させ、前記中央背部の前面側へ傾斜せるようにしている。
【０００９】
しかしながら、このような構成によると、前記側部背部を傾斜させる機構を構成する部品として、前記背上げアームに前記押し上げローラを設け、前記側部背部に前記突条部を設けなければならない。
【００１０】
つまり、前記背床部を前記腰床部に対して起伏駆動する前記背上げ機構を構成する前記背上げアームに、前記背床部の側部背部を傾斜させる機構を構成する前記押し上げローラを設けたり、前記側部の背面に前記突条部を設けなければならない。しかも、前記背上げアームと、前記押し上げローラや前記突条部を、互いに関連するよう位置決めして設けなければならない。
【００１１】
そのため、前記背上げ駆動機構と前記側部背部を傾斜させる機構との相対的な組み立て精度や製作精度が要求されることになるから、その製造や組み立て作業に手間が掛かるということがあった。
【００１２】
この発明は、背上げ駆動機構と分離した機構によって背床部の中央背部の両側に設けられた側部背部を、背上げ時に前方向に回動させることができるようにしたベッド装置を提供することにある。
【課題を解決するための手段】
【００１３】
この発明は、ベッドフレームと、
前記ベッドフレームに固定される固定床部、中央背部及びこの中央背部の両側に前方向に回動するよう連結された一対の側部背部を有して前記固定床部に回動可能に連結された背床部を備えた床板体と、
前記床板体の前記背床部を起伏駆動する背上げ駆動機構と、
前記中央背部の背面に軸線を前記中央背部の幅方向に沿わせて回転可能に支持された作動軸と、
この作動軸の中途部に設けられた取付け部材と、
この取付け部材に一端が固定され他端が前記背上げ駆動機構を作動させて前記背床部を起上方向に駆動したときに張力が発生する部分に固定して設けられ、前記張力によって前記作動軸を所定方向に回動させる伝動部材と、
前記作動軸の両端部に前記作動軸の周方向に対して角度変更可能に設けられその角度によって前記背床部が起立方向に駆動されて前記作動軸が前記伝動部材によって回動させられたとき、一対の前記側部背部を前方へ回動させる作動位置と、前方へ回動させることのない非作動位置とのいずれかに位置決めされる押圧部材と
を具備したことを特徴とするベッド装置にある。
【発明の効果】
【００１４】
上述した構成によれば、前記背床部の前記側部背部を前方へ傾斜させるよう駆動するために必要な機構を、前記背床部を起伏駆動するための機構と関連することなく、前記背部の背面側に設けることができるから、前記側部背部を前方へ傾斜させるための機構の組み立て精度や製作精度の容易化を図ることができる。
【図面の簡単な説明】
【００１５】
【図１】この発明の第１の実施の形態を示す、背床部を起上させたベッド装置の斜視図。
【図２】前記ベッド装置の床板体を倒伏させた斜視図。
【図３】ベッドフレームを示す平面図。
【図４】床板体を起伏駆動する駆動機構の説明図。
【図５】床板体の背床部、第１、第２の腰床部及び固定床部の背面側を示す図。
【図６】背床部の側部背部を背上げ駆動に伴って駆動するワイヤの張設状態を示す図。
【図７】（ａ）は押圧部材が設けられる作動軸の一端部の一部断面した平面図、（ｂ）は同じく側面図。
【図８】前記背床部を起上させたとき、前記背床部を前方へ傾斜させない状態のヘッドアップ機構を示す床板体の側面図。
【図９】前記背床部を起上させたとき、前記背床部を前方へ傾斜させた状態のヘッドアップ機構を示す床板体の側面図。
【図１０】（ａ）は背床部の側部背部が中央背部の前面側に傾斜させられていない状態の背面図、（ｂ）は同じく側部背部を中央背部の前面側に傾斜させた状態の背面図。
【図１１】この発明の第２の実施の形態の床板体の背床部、第１、第２の腰床部及び固定床部の背面側を示す図。
【図１２】（ａ）は図１１に示す床板体の側面図、（ｂ）は同じく背床部をヘッドアップ機構によって前方へ傾斜させた状態の側面図。
【図１３】図１２（ａ）の背床部を拡大した側面図、（ｂ）は図１２（ｂ）の背床部を拡大した側面図。
【図１４】（ａ）は背床部の背面側に設けられるサイドアップ機構とヘッドアップ機構を示す平面図、（ｂ）は同じく正面図、（ｃ）は同じく側面図。
【図１５】ヘッドアップ機構の取付けアームと可動アームの連結部分を一部断面した拡大図。
【発明を実施するための形態】
【００１６】
以下、この発明の第１の実施の形態を図１乃至図１０を参照しながら説明する。
【００１７】
図１と図２はベッド装置の斜視図であって、このベッド装置は図２に示すベースフレーム１を備えている。このベースフレーム１は矩形状に形成されていて、その四隅部には設置用脚２が設けられている。なお、前記設置用脚２に代わってキャスターを設けるようにしてもよい。
【００１８】
図２に示すように、前記ベースフレーム１の四隅部の上面には上下駆動機構３を構成する連結杆４（３か所だけ図示）の一端が枢着され、他端はそれぞれ後述するよう構成された矩形枠状のベッドフレーム５の四隅部に枢着されている。
【００１９】
４本の前記連結杆４は図示しない連動リンクを介して上下用駆動源６によって連動して駆動される。すなわち、前記連結杆４は前記ベースフレーム１に枢着された一端を支点として水平に倒伏した状態から、図２に示す起立方向へ駆動されるようになっている。  
【００２０】
それによって、前記ベッドフレーム５は図１に示す下降位置から、図２に示す上昇位置に駆動されるようになっている。
【００２１】
図３は前記ベッドフレーム５を示し、このベッドフレーム５は矩形枠状に形成された本体フレーム部１１を有する。前記本体フレーム部１１の長手方向の一端部と他端部にはそれぞれコ字状に形成された調整フレーム１２が図３に矢印Ｘで示すように前記本体フレーム部１１の長手方向に沿って移動可能に保持されている。
【００２２】
前記本体フレーム部１１の長手方向の一端部側と他端部側とに設けられた一対の前記調整フレーム１２は、矢印Ｘで示すように前記本体フレーム部１１の長手方向に沿って移動可能、かつ所定の移動位置で図示しないストッパ手段によって固定可能に設けられている。
【００２３】
つまり、前記ベッドフレーム５は、前記前記本体フレーム部１１に対して前記調整フレーム１２の取付け位置を調整することで、全体の長さを利用者の身長などに応じて変えることができるようになっている。
【００２４】
一対の前記調整フレーム１２の両側にはそれぞれ一対の支持部材１４が設けられている。各支持部材１４はそれぞれ両端にアーム部材１５の一端が回動可能に連結され、これらアーム部材１５の他端は前記調整フレーム１２に枢着されている。
【００２５】
それによって、前記支持部材１４は図３に実線で示す前記調整フレーム１２の側部に接近する位置と、鎖線で示す前記調整フレーム１２側部から遠ざかる位置との間で移動可能となっている。
【００２６】
前記支持部材１４の上面の長手方向の両端部にはそれぞれ支持孔１６が上面に開口して形成されている。前記支持孔１６には、前記支持部材１４を鎖線で示す位置に移動させたときに、図示しない側柵がその一対の脚部を挿入して支持されるようになっている。
【００２７】
前記調整フレーム１２の短辺部には図１と図２に示すようにヘッドボード及びフットボードとなるボード体１７が下端部を連結して立位状態で設けられている。  
【００２８】
前記本体フレーム部１１の両側には、一対の前記支持部材１４の間の部分に飾り部材１８が設けられる。前記飾り部材１８は、前記支持部材１４が前記調整フレーム１２の側辺に接近する位置に位置決めされたとき、側面が前記調整フレーム１２の側面とほぼ一直線となるよう設けられている。  
【００２９】
それによって、前記支持部材１４を使用しないとき、前記支持部材１４と前記飾り部材１８とが一体的となって前記ベッドフレーム５の側面に段差が生じるのが防止されるから、良好な外観を呈することになる。
【００３０】
図１と図２に示すように、前記ベッドフレーム５の上面には床板体２５が設けられる。
【００３１】
前記床板体２５は、２つに分割されて前記本体フレーム部１１の長手方向の中途部に取付け固定された一対の固定床部２６を有する。
【００３２】
一方の前記固定床部２６には第１の腰床部２７と第２の腰床部２８が順次回動可能に連結されている。前記第２の腰床部２８の一側には連結部２９が突出形成され、この連結部２９には背床部３１が連結されている。
【００３３】
前記背床部３１は、図１に示すように前記連結部２９に下端が回動可能に連結された中央背部３２、この中央背部３２の両側に連結された一対の側部背部３３を有する。前記中央背部３２は下端を支点として前面方向（前方）だけに回動するようになっており、前記側部背部３３は前記中央背部３２に連結された一側を支点として前面方向だけに回動するようになっている。  
【００３４】
他方の前記固定床部２６には一対の第１の脚床部３５と、第２の脚床部３６が順次回動可能に連結されている。
【００３５】
前記床板体２５の前記第１の腰床部２７と前記第２の腰床部２８、及び前記第１の脚床部３５と前記第２の脚床部３６は重ねられた２つの部材から構成され、それぞれ一方の部材に対して他方の部材が移動可能に設けられて構成されている。そして、移動可能な他方の部材を一方の部材に対して移動させたとき、所定の移動位置で前記他方の部材を前記一方の部材に対して固定できるようになっている。
【００３６】
それによって、前記ベッドフレーム５の長さを、前記本体フレーム部１１に対して前記調整フレーム１２を移動させて変えたとき、前記床板体２５を前記ベッドフレーム５に対応する長さに設定できるようになっている。
【００３７】
前記ベッドフレーム５には図４に示す背上げ駆動機構３７が設けられ、前記床板体２５は前記背上げ駆動機構３７によって図２に示すように水平に倒伏した状態から、図１に示すように前記第１の腰床部２７、前記第２の腰床部２８、前記背床部３１、前記第１の脚床部３５及び前記第２の脚床部３６が上昇する方向に駆動させることができるようになっている。
【００３８】
前記背上げ駆動機構３７は駆動源（図示せず）を内蔵した駆動部３８を有する。この駆動部３８には第１の駆動軸４１と第２の駆動軸４２とが軸線を平行にして設けられ、図示せぬ駆動源によって回転駆動されるようになっている。
【００３９】
前記第１の駆動軸４１と前記第２の駆動軸４２の両端部は、前記ベッドフレーム５の前記本体フレーム部１１の両側内面に回転可能に支持される。前記第１の駆動軸４１は、前記駆動部３８に内蔵された前記駆動源によって回転駆動されるようになっている。
【００４０】
前記第１の駆動軸４１と前記第２の駆動軸４２の軸方向の一端部にはそれぞれリンク４３が設けられている。一対のリンク４３には連結アーム４４の一端と他端が回動可能に連結されている。  
【００４１】
それによって、前記第１の駆動軸４１が回転駆動されれば、その回転に前記第２の駆動軸４２が前記連結アーム４４を介して連動するようになっている。
【００４２】
前記第１の駆動軸４１の両端部には一対の背上げアーム４５が基端部を連結して設けられている。一対の前記背上げアーム４５の先端部には所定間隔で一対の背上げローラ４６が回転可能に設けられている。
【００４３】
前記第２の駆動軸４２の両端部には取付けリンク４７が一端を連結して設けられている。前記取付けリンク４７の他端には先端に脚上げローラ４８が回転可能に設けられた脚用リンク４９の基端部が枢着されている。
【００４４】
前記脚用リンク４９の基端には連動リンク５１の一端が枢着され、この連動リンク５１の他端は前記第２の駆動軸４２の端部に枢着されている。前記第２の駆動軸４２が前記第１の駆動軸４１に連動して回転すると、その回転に前記脚上げローラ４８が前記連動リンク５１、前記脚用リンク４９、及び前記取付けリンク４７が連動し、前記用リンク４９の先端に設けられた前記脚上げローラ４８が下方位置から上昇方向に駆動される。
【００４５】
それによって、前記背上げ駆動機構３７は、図２に示すように水平に倒伏した状態の前記床板体２５を駆動し、図１に示すように前記第１、第２の腰床部２７，２８及び前記背床部３１を起上させる。さらに、前記第１の脚床部３５を屈曲させながら、前記第２の脚床部３６を上昇させるようになっている。
【００４６】
図５は前記床板体２５の前記背床部３１の背面（前記背床部３１が図２に示すように水平に倒伏したときの下面）を示している。前記第２の腰床部２８の背面には、前記第２の腰床部２８の幅方向に所定間隔で離間した一対の背上げレール５３が固定されている。
【００４７】
前記背上げレール５３は断面がコ字状の部材によって形成されていて、前記第２の腰床部２８及び前記背床部３１の前記中央背部３２の背面にわたる長さとなっている。
【００４８】
前記背上げレール５３には、図４に示す前記背上げローラ４６が転動可能に係合して設けられる。それによって、前記第１の駆動軸４１が回転駆動されて前記背上げアーム４５が起上方向に駆動されることで、前記背上げローラ４６が前記背上げレール５３に沿って転動すると、前記第２の腰床部２８と前記背床部３１、及び前記第２の腰床部２８に連動して前記第１の腰床部２７が図２に示す倒伏した状態から、図１に示すように起上方向に駆動される。
【００４９】
このとき、前記第１の駆動軸４１に前記第２の駆動軸４２を連動させれば、前記第１の脚床部３５と第２の脚床部３６を上昇方向に駆動することができる。なお、前記第２の駆動軸４２を前記第１の駆動軸４１に対して連動させるか否かは選択的に設定することができるようになっている。
【００５０】
前記床板体２５には、一対の前記背上げレール５３よりも幅方向の内方に一対のヘッドアップレール５５が一端を前記第１の腰床部２７の下面（背面）に固定して設けられている。このヘッドアップレール５５は後述するよう前記背床部３１の前記中央背部３２を、その基端を支点として前方へ倒すために利用される。
【００５１】
図５に示すように、前記背床部３１の前記中央背部３２の背面には、前記一対の前記背上げレール５３の先端よりも上側に中空状の作動軸５６が両端部を保持具５７によって回転可能に保持されて設けられている。
【００５２】
前記作動軸５６の軸方向の中途部には所定長さを有する取付け部材としてのアーム５８が一端を固定して設けられている。このアーム５８の他端には伝導部材としてのワイヤ５９の一端が固定されている。このワイヤ５９はローラ６０に係合されて前記中央背部３２の背面に接近するよう方向変換された後、その他端は前記第２の腰床部２８の背面に向かって延長されている。
【００５３】
前記一対の背上げレール５３の前記第２の腰床部２８側に位置する一端部には、横部材６１が両端を固定して架設されている。この横部材６１の中途部には保持具６２が設けられている。
【００５４】
図６に示すように、前記保持具６２にはプーリ６３ａが取付けられた巻取り軸６３が回転可能に支持されている。前記巻取り軸６３の一端部には、たとえばナットなどの締め付け部材６４が設けられ、この締め付け部材６４によって前記巻取り軸６３を回転不能に保持できるようになっている。
【００５５】
前記巻取り軸６３の前記プーリ６３ａには前記ワイヤ５９の他端部が巻き取られる。したがって、前記プーリ６３ａによる前記ワイヤ５９の巻取り長さを調整することで、前記ワイヤ５９の前記アーム５８に連結された一端から前記巻取り軸６３の他端までの長さを設定できるようになっている。
【００５６】
前記背上げ駆動機構３７によって前記背床部３１が前記第１、第２の腰床部２７，２８を屈曲させながら起状方向に駆動されたとき、前記ワイヤ５９は一端と他端とを結ぶ直線距離が小さくなって張力が生じることになる。
【００５７】
前記ワイヤ５９に張力が生じると、その張力が前記アーム５８を介して前記取付け軸５６に伝達される。それによって、前記作動軸５６は前記アーム５８の先端側が前記中央背部３２の背面に近付く方向に回転することになる。
【００５８】
上述したように前記ワイヤ５９の他端は前記保持具６２の前記巻取り軸６３に長さ調整可能に巻回されている。一方、前記床板体２５は上述したように長さ調整可能な構成となっている。
【００５９】
そのため、前記床板体２５の長さを利用者の身長などに応じて変更したとき、その長さ変更に応じて前記ワイヤ５９の他端の前記巻取り軸６３に対する巻取り量を調整して全長を変える。それによって、前記床板体２５の長さを変えても、前記背床部３１を一定の張力で確実に起上させることができるようになっている。
【００６０】
なお、前記ワイヤ５９の他端を、一対の前記背上げレール５３間に架設された前記横部材６１設けられた前記保持具６２に固定するようにしたが、前記ワイヤ５９の他端は前記背上げレール５３間に架設された前記横部材６１以外の箇所、つまり前記背床部３１を起上方向に駆動したときに、前記ワイヤ５９に張力が発生する部分、たとえば前記第１或いは第２の腰床部２７，２８、或いは前記固定床部２６などに固定して設けるようにしてもよい。
【００６１】
前記作動軸５６の両端部には、前記作動軸５６が前記ワイヤ５９によって回転させられたとき、前記背床部３１の側部背部３３の背面を押圧して前方へ回動させるローラからなる押圧部材６６が設けられている。
【００６２】
すなわち、図７（ａ），（ｂ）に示すように、前記作動軸５６の端部には支軸６７が一端部を回転可能に挿入して設けられている。この支軸６７の他端部には径方向に貫通し、かつ前記支軸６７の先端面に開放した取付け溝６８が形成されている。この取付け溝６８には側面形状がＬ字状をなしたストッパ部材６９の一端部が取付け固定されている。前記ストッパ部材６９の他端部と前記支軸６７の外周面との間には所定間隔の隙間７１が形成されていて、この隙間７１に前記作動軸５６の周壁の周方向の一端部が入り込んでいる。
【００６３】
前記ストッパ部材６９の一端部には取付け軸７２が軸線を前記支軸６７の軸線に対して所定の角度、たとえば４５度の角度で傾斜させて取付けられている。前記取付け軸７２の先端部には前記押圧部材６６が回転可能に取付けられている。
【００６４】
前記作動軸５６の両端部には、上下方向の中途部を前記支軸６７の外周面の軸方向に沿って固着した板状の保持部材７３が、前記上下方向の両端部を前記作動軸５６の径方向外方に突出させて設けられている。
【００６５】
前記保持部材７３は、前記ストッパ部材６９の一側面側、つまり前記作動軸５６が前記中央背部３２の背面に取付けられた状態において、前記ストッパ部材６９の前面側になるよう設けられている。
【００６６】
それによって、前記取付け軸７２は、前記支軸６７を前記作動軸５６に対して回転させることで、図５に示すように前記取付け軸７２の軸線が前記作動軸５６の軸線に対して上方に向かって傾斜した状態（非作動位置）と、この非作動位置から１８０度回転して前記取付け軸７２の軸線が下方に向かって傾斜した状態（作動位置）とのいずれかの状態で、前記ストッパ部材６９が前記保持部材７３の高さ方向の下端部或いは上端部に当たって保持されるようになっている。
【００６７】
図７（ｂ）は前記取付け軸７２の軸線が下方に向かって傾斜した、前記作動位置に保持された状態であって、前記ストッパ部材６９が前記保持部材７３の上下方向の下端部７３ａの前面側に係合している状態を示している。
【００６８】
背上げ時には、前記ワイヤ５９の張力で前記作動軸５６が図７（ｂ）に矢印Ｒで示す方向に回転させられると、前記保持部材７３及び前記作動軸５６を介して前記取付け軸７２が前記側部背部３３の背面側に向かって回転する。
【００６９】
前記取付け軸７２が回転すると、その先端部に設けられた前記押圧部材６６が前記側部背部３３の背面を押圧する方向へ回動する。それによって、前記側部背部３３は図１０（ａ）に示すように前記中央背部３２の前面側に傾斜していない状態から、図１０（ｂ）に示すように前記中央背部３２の前面側に傾斜する状態に駆動される。
【００７０】
その結果、前記側部背部３３は前記背床部３１に上半身が支持された利用者の頭部が横方向に倒れるのを防止する状態となる。
【００７１】
前記側部背部３３は、一側が前記中央背部３２の前面側にだけ回動するよう連結されているから、前記一側を支点として前記中央背部３２の前面側に自由に回動できる状態となっている。
【００７２】
そのため、前記押圧部材６６によって前方へ起上させられた前記側部背部３３を起上させられていない状態に戻すときには、前記側部背部３３を前記押圧部材６６によって起上させられた状態よりもさらに前方へ回動させる。
【００７３】
ついで、作動位置にある前記取付け軸７２を、その軸線が前記作動軸５６の軸線に対して上方へ傾斜する前記非作動位置に回転させ、その位置で前記ストッパ部材６９を前記保持部材７３の上端部７３ｂに係合させて前記取付け軸７２を保持する。
【００７４】
それによって、前記押圧部材６６による前記側部背部３３の保持状態が解除されるから、前記側部背部３３を傾斜していない状態に戻すことができる。
【００７５】
また、前記取付け軸７２を前記非作動位置に保持した状態で前記背床部３１を起上させれば、前記側部背部３３を前方へ傾斜させることなく、前記背床部３１を起上させることができる。
【００７６】
つまり、上述した構成によれば、前記背床部３１の背上げ時に、前記ストッパ部材６９を回転させ、前記押圧部材６６を作動位置、或いは非作動位置に位置決めすることで、前記側部背部３３を起上方向に回動させるか否かを選択することができる。
【００７７】
なお、前記背床部３１の前記中央背部３２の両側に設けられた一対の前記側部背部３３を前方へ傾斜する方向へ駆動する機構をサイドアップ機構７４とする。
【００７８】
前記第２の腰床部２８の前記連結部２９に下端が前方向に回動可能に連結された前記中央背部３２は、図５、図８及び図９に示すヘッドアップ機構７５によって前方へ傾斜させることができるようになっている。
【００７９】
前記ヘッドアップ機構７５は、図５に示すように前記背床部３１の前記中央背部３２の、この中央背部３２の幅方向の両端部に、この幅方向と交差する方向（上下方向とする）に沿って設けられた一対のヘッドアップガイド７６を有する。一対の前記ヘッドアップガイド７６の上端側に位置する一端部間には支軸７７の両端部が回動可能に支持されている。
【００８０】
図８と図９に示すように、前記支軸７７の端部には、それぞれヘッドアップアーム７８の一端が連結固定されている。これらヘッドアップアーム７８の他端には前記ヘッドアップレール５５に係合したヘッドアップローラ７９が回転可能に支持されている。
【００８１】
前記ヘッドアップガイド７６の側面には円弧状の第１のガイド溝８１と、同じく円弧状で、前記第１のガイド溝８１と同心的に、しかも周方向に同一の角度で第２のガイド溝８２とが形成されている。
【００８２】
一対の前記第１のガイド溝８１には、図５に示すようにロッド状の位置決め部材８３の一端部と他端部がそれぞれ移動可能に挿通支持されている。前記位置決め部材８３の一端部と他端部にはそれぞれアーム部材８４の一端が連結固定されている。一対の前記アーム部材８４の他端は連結ロッド８５によって連結されている。
【００８３】
前記アーム部材８４の中途部には、一端を前記アーム部材８４に固着し、他端側を前記第２のガイド溝８２から前記ヘッドアップガイド７６の外面側に突出させたロッド状の操作部材８６が設けられている。
【００８４】
図８に示すように、前記位置決め部材８３が前記第１のガイド溝８１の一端側に位置するとき、一端に設けられた前記ヘッドアップローラ７９を前記ヘッドアップレール５５に係合させた前記ヘッドアップアーム７８は、前記位置決め部材８３によって一側面が押圧されて前方へ回動することのない状態にある。それによって、前記背床部３１は下端を支点として前方へ倒伏させられることのない状態で保持される。
【００８５】
図９に示すように、前記操作部材８６によって前記アーム部材８４を前記連結ロッド８５を支点として回動させ、前記位置決め部材８３を前記第１のガイド溝８１の一端側から他端側へ移動させると、前記位置決め部材８３によって前記ヘッドアップアーム７８の中途部が押圧される。
【００８６】
それによって、前記ヘッドアップアーム７８は前記ヘッドアップレール５５に係合した前記ヘッドアップローラ７９、つまり前記ヘッドアップアーム７８が一端を支点として一他端側が図９に矢印Ｗで示す前記背床部３１の前面側に向かって回動する。
【００８７】
その結果、前記背床部３１は下端を支点として前方へ倒伏する方向へ回動するから、前記背床部３１に上半身を位置させた利用者の頭部が前方に起こされることになる。
【００８８】
上述したように前記背床部３１は、この背床部３１を起上させた後、前記操作部材８６を操作して前記位置決め部材８３を前記第１のガイド溝８１の一端から他端へ移動させることで、前方へ傾けることができる。
【００８９】
また、前記背床部３１が倒伏した状態にあるとき、前記操作部材８６を予め操作して前記位置決め部材８３を前記第１のガイド溝８１の一端から他端へ移動させた後、前記背床部３１を起上させれば、その起上に伴って前記ヘッドアップレール５５の前記第２の腰床部２８と前記背床部３１の背面に対向する他端部との間隔が図８に示す状態から、図９に示すように拡大する。
【００９０】
それによって、図９に示すように前記位置決め部材８３により、前記ヘッドアップアーム７８が押圧されて前記ヘッドアップローラ７９を支点として前方へ回動した状態で保持されるから、前記背床部３１を前面側に傾斜させることができる。
【００９１】
つまり、上述した構成によれば、前記背床部３１は、この背床部３１を前記背上げ駆動機構３７によって上昇方向に駆動した後、前記操作部材８６を操作することで前方へ傾斜させることができる。
【００９２】
それだけでなく、前記背床部３１が倒伏した状態にあるとき、前記操作部材８６を操作して前記位置決め部材８３を前記第１のガイド溝８１の一端から他端へ移動させておけば、前記背床部３１を起上させることで、その起上に連動して前記背床部３１を前方へ倒伏させることもできる。
【００９３】
このような構成のベッド装置によれば、前記背床部３１の前記中央背部３２の両側に設けられた一対の前記側部背部３３を、前記背床部３１の起上に伴って前方へ回動させるための、前記作動軸５６、前記ワイヤ５９、前記押圧部材６６などの部材は、前記背床部３１を起伏駆動するための、前記背上げ駆動機構３７を構成する部材と動作や配置などに関連することなく、前記床板体２５の背面側に設けることができる。
【００９４】
つまり、背上げ駆動機構３７と分離された機構によって、前記背床部３１の前記中央背部３２の両側に設けられた前記側部背部３３を、背上げ時に前方向に回動させることができる。
【００９５】
そのため、前記背上げ駆動機構３７との相対的な組み立て精度や製作精度が要求されることがない機構によって前記側部背部３３を背上げ時に前方向に回動させることができるから、その機構の製造や組み立てを容易に行うことが可能となる。
【００９６】
ベッド装置の前記ベッドフレーム５と前記床板体２５は利用者の身長に応じて長さを変えることができるようになっている。前記ベッドフレーム５と前記床板体２５の長さを変えると、背上げ時に前記側部背部３３を前方向に回動させるために用いられているワイヤ５９の長さを調整しなければならない。
【００９７】
一端を前記作動軸５６に前記アーム５８を介して連結された前記ワイヤ５９の他端部は、前記巻取り軸６３に長さ調整可能に巻回されている。
【００９８】
そのため、前記ベッドフレーム５と前記床板体２５との長さを変えたとき、その長さ変更に応じて前記ワイヤ５９の長さも変えることができるから、そのような場合であっても背上げ時に前記背床部３１の一対の前記側部背部３３を、利用者の頭部を保持できるよう確実に前方へ回動させることができる。
【００９９】
前記ヘッドアップ機構７５は、前記背床部３１を起上させてから、前記操作部材８６によって前記位置決め部材８３を前記第１のガイド溝８１に沿って移動させることで、前記背床部３１を前方へ傾斜させた状態で保持することができる。
【０１００】
それだけでなく、前記背床部３１を起上させる前に、前記位置決め部材８３を前記第１のガイド溝８１に沿って予め移動させておけば、前記背床部３１を前記背上げ駆動機構３７によって起上させる動作に連動させて前記背床部３１を前方へ傾斜させることができる。
【０１０１】
そのため、利用者の体調などの状況に応じて、前記背床部３１を起上させる時に前方へ傾斜させたり、前記背床部３１を起上させた後、この背床部３１を前方へ傾斜させたり、傾斜させた前記背床部３１を傾斜していない元の状態に戻すなど、前記背床部３１を傾斜させる状況を選択できるから、使い勝手がよいということがある。
【０１０２】
前記サイドアップ機構７４は前記背床部３１を起上方向に駆動することで作動させることができ、前記ヘッドアップ機構７５は前記第１のガイド溝８１に対する前記位置決め部材８３の位置を設定することで作動させることができる。
【０１０３】
つまり、前記サイドアップ機構７４と前記ヘッドアップ機構７５は別々に作動させたり、同時に作動させることが可能な構成となっている。そのため、利用者の体力などの状態によって、前記サイドアップ機構７４と前記ヘッドアップ機構７５を使い分けたり、同時に使用することができるから、非常に便利である。
【０１０４】
なお、上述した第１の実施の形態では、前記床板体２５に第１、第２の腰床部２７，２８を設け、この第２の腰床部２８に前記背床部３１を連結するようにしたが、前記床板体２５には前記第１、第２の腰床部２７，２８が設けられない場合があり、そのような場合には前記背床部３１を前記固定床部２６に連結するようにすればよい。
【０１０５】
また、前記背床部３１の前記中央背部３２の両側に設けられる一対の前記側部背部３３は上下方向に複数に分割されたものであってもよい。
【０１０６】
また、ベッド装置においては、前記第１、第２の腰床部２７，２８を備えていない場合がある。そのような場合には、前記背床部３１の中央背部３２を前記固定床部２６に回動可能に取付けるようにしてもよい。要は、前記中央背部３２が前記固定床部２６に対して直接或いは間接的に回動可能に設けられている構成であればよい。
【０１０７】
つぎに、この発明の第２の実施の形態を図１１乃至図１５を参照しながら説明ずる。なお、第１の実施の形態と同一の部分には同一記号を付して説明を省略する。  
【０１０８】
図１１は第１の実施の形態の図６と同様、床板体２５の背床部３１、第１、第２の腰床部２７，２８及び固定床部２６の背面側を示している。
【０１０９】
第１の実施の形態では、前記ヘッドアップ機構７５を構成するために、一端が前記第１の腰床部２７の下面（背面）に固定された前記ヘッドアップレール５５や前記ヘッドアップアーム７８、さらには前記ヘッドアップガイド７６などを設けるようにしたが、第２の実施の形態では前記ヘッドアップレール５５、前記ヘッドアップアーム７８、前記ヘッドアップガイド７６などを使用せず、前記ヘッドアップ機構７５を構成できるようにしている。なお、第２の実施の形態においてはヘッドアップ機構を示す番号を７５Ａとする。
【０１１０】
以下、第２の実施の形態のヘッドアップ機構７５Ａについて説明する。すなわち、前記中央背部３２の背面の上部には前記作動軸５６が両端部が前記保持具５７によって回転可能に保持されている。前記作動軸５６の前記両端部には、図１１と図１４に示すように帯板状の一対の取付けアーム１０１が前記作動軸５６の軸線に対して直交する状態で一端部を固定して設けられている。
【０１１１】
前記取付けアーム１０１の他端部には、同じく帯板状の可動アーム１０２の一端部が連結軸１０３によって回動可能に連結されている。前記可動アーム１０２の他端部には図１３に示すようにローラ状の作動部材１０４が支軸１０５によって回転可能に支持されている。
【０１１２】
前記作動部材１０４と前記支軸１０５とによって後述するよう前記背床部３１が前方へ傾斜する角度を規制する規制手段を構成している。なお、前記規制手段は前記支軸１０５だけであってもよい。
【０１１３】
前記作動部材１０４は断面コ字状の前記背上げレール５３内に移動可能に設けられている。前記支軸１０５は前記背上げレール５３の端部に長手方向に沿って形成された長孔１０６に移動可能に挿通されている。
【０１１４】
一対の前記背上げレール５３には図１２に示すように長手方向の両端部に前記長孔１０６を形成している。そうすることによって、一対の前記前記背上げレール５３は上下方向に対して位置決め制限されることなく使用できるようになっている。なお、前記長孔１０６は、実質的には前記背上げレール５３の背床部３１側の端部（上端部）だけに設けられていればよい。
【０１１５】
前記取付けアーム１０１に対して前記可動アーム１０２は、ロック機構１０８によって直線状となった状態で回動不能に固定できるようになっている。前記ロック機構１０８は、図１３（ａ），（ｂ）と図１４（ａ），（ｂ），（ｃ）に示すように、左右一対の前記取付けアーム１０１の長手方向の中途部に一端が支軸１１０によって回動可能に取付けられた一対の可動片１１１を有する。一対の前記可動片１１１の他端にはロック用ロッド１１２の一端部と他端部がそれぞれ固着されている。
【０１１６】
図１２（ａ）と図１３（ａ）に示すように、前記可動アーム１０２の一端部の幅方向の一側、つまり前記連結軸１０３によって前記取付けアーム１０１に連結された箇所よりも末端側の一側には凹状の係合部１１３が形成されている。
【０１１７】
図１２（ａ）と図１３（ａ）に示すように前記可動アーム１０２が前記取付けアーム１０１に対して屈曲した状態から、図１２（ｂ）と図１３（ｂ）に示すように前記取付けアーム１０１に対してほぼ直線状になるよう回動させた後、前記ロック用ロッド１１２を、前記可動片１１１を支持した前記支軸１１０を支点とし、前記可動片１１１とともに回動させ、一対の前記可動アーム１０２の前記係合部１１３に弾性的に係合させる。
【０１１８】
それによって、図１２（ｂ）と図１３（ｂ）に示すように、前記可動アーム１０２は前記取付けアーム１０１に対してほぼ直線状となった状態で回動不能に保持される。
【０１１９】
前記取付けアーム１０１と前記可動アーム１０２が屈曲した状態から、前記ロック機構１０８によって直線状に保持されると、前記取付けアーム１０１が取付けられた前記作動軸５６を介して前記背床部３１の前記中央背部３２が前方へ押圧される。
【０１２０】
それによって、前記作動軸５６が背面側に設けられた前記背床部３１は、図１２（ａ）、図１３（ａ）に示す状態から図１２（ｂ）、図１３（ｂ）に示すように前記第２の腰床部２８の前記連結部２９に枢着された下端を支点として前方へ傾動する。
【０１２１】
このとき、前記可動アーム１０２の他端に設けられ前記背上げレール５３の前記長孔１０６に係合させた前記作動部材１０４は、前記中央背部３２の傾動に応じて前記背上げレール５３の図１２（ｂ）における上端部方向へ移動する。
【０１２２】
さらに、前記作動部材１０４が設けられた前記支軸１０５は、前記背上げレール５３の前記長孔１０６に係合している。そのため、前記背床部３１は前記ロック機構１０８によって直線状に保持された前記取付けアーム１０１と前記可動アーム１０２とがなす長さ以上に、前方向へ倒伏するのが阻止される。
【０１２３】
つまり、前記作動部材１０４は、前記背床部３１、つまり前記中央背部３２が前方へ傾斜し過ぎることがないよう、その傾斜角度を制限している。
【０１２４】
このように、第２の実施の形態のヘッドアップ機構７４Ａは、後述するサイドアップ機構７４に用いられる前記作動軸５６に、前記取付けアーム１０１と前記可動アーム１０２を取付ける。
【０１２５】
さらに、前記背上げレール５３に前記作動部材１０４を前記長孔１０６に挿通された前記支軸１０５を介して保持するとともに、前記取付けアーム１０１に回動可能に連結された前記可動アーム１０２を前記ロック用ロッド１１２によって回動不能かつ直線状に保持できる前記ロック機構１０８によって構成されている。
【０１２６】
そのため、前記ヘッドアップ機構７５Ａは部品点数の減少や構成の簡略化を図ることができる構成となっている。しかも、前記ロック機構１０８を操作するだけで、前記背床部３１を傾斜させたり、傾斜状態を解除することができるから、その操作も容易である。
【０１２７】
一方、第２の実施形態における前記サイドアップ機構７４は、前記第１の実施の形態とほぼ同様な構成となっている。すなわち、図１１に示すように、前記背上げ機構３７によって前記床板体２５の前記背床部３１が起上方向に駆動されたときに張力を生じ、その張力によって前記作動軸５６を所定方向に回動させる伝動部材としての前記ワイヤ５９を有する。
【０１２８】
前記ワイヤ５９は、アウタチューブ１２１内に挿通されている。前記ワイヤ５９の一端は前記第１の腰床部２７の下面に設けられた取付具１２２に取付け固定されている。前記ワイヤ５９の一端部は、前記固定床部２６の下面に設けられた第１の保持具１２３に回転可能に設けられた第１のローラ１２４に係合して方向変換されている。
【０１２９】
前記アウタチューブ１２１は一端が前記第１の保持具１２３に保持固定されている。つまり、前記ワイヤ５９の一端部は、前記アウタチューブ１２１の一端と前記取付具１２２との間で前記アウタチューブ１２１から露出している。
【０１３０】
前記アウタチューブ１２１は中途部を大きく弛ませて湾曲させ、その中途部は前記第２の腰床部２８の背面（下面）に設けられたクリップ１２５によって保持されている。前記アウタチューブ１２１の他端部は前記中央背部３２の上端部に設けられた第２の保持具１２７に保持固定されている。
【０１３１】
前記アウタチューブ１２１の他端から導出された前記ワイヤ５９の他端部は前記第２の保持具１２７に回転可能に支持された第２のローラ１２８に係合され、末端は前記作動軸５６の長手方向中央部に設けられた取付け部材としてのアーム５８に連結固定されている。
【０１３２】
それによって、図４に示す前記背上げ機構３７によって前記背上げアーム４５を起上方向に駆動し、前記背上げアーム４５に設けられた前記背上げローラ４６によって前記背上げレール５３を起上方向に駆動する。
【０１３３】
すると、前記背床部３１が前記背上げレール５３に連動して起上するから、その起上によって前記ワイヤ５９に張力が生じる。前記ワイヤ５９に張力が生じると、その張力によって前記作動軸５６が所定方向に回転させられることになる。
【０１３４】
前記作動軸５６の両端部には、図１４（ａ）〜（ｃ）に示すように、前記押圧部材６６が前記作動軸５６の周方向に対して角度変更可能に設けられている。そして、前記背床部３１が起立方向に駆動されて前記作動軸５６が前記ワイヤ５９によって回動させられると、前記押圧部材６６が前記作動軸５６とともに所定方向に回動し、一対の前記側部背部３３の背面を押圧する。
【０１３５】
それによって、一対の前記側部背部３３は、前方へ回動していない非作動位置から、前記押圧部材６６によって押圧されて前方へ回動する作動位置へ変位するようになっている。このような構成は前記第１の実施の形態と同様である。
【０１３６】
なお、図１１に示すように、前記側部背部３３の背面の前記押圧部材６６が転動する背面の部位には、前記押圧部材６６が円滑に転動するよう平坦な凹状部３３ａに形成されている。
【０１３７】
前記伝動部材としての前記ワイヤ５９は前記アウタチューブ１２１に挿通されている。そのため、背上げ時に前記ワイヤ５９に張力が生じたとき、前記ワイヤ５９は前記アウタチューブ１２１に挿通されていない場合に比べ円滑に動作する。
【０１３８】
前記アウタチューブ１２１は、前記ワイヤ５９とともに中途部を弛ませた長さである。そのため、前記固定床部２６から前記背床部３１までの長さ、たとえば前記背床部３１の長さ寸法を利用者の身長などに応じて長く変えた場合であっても、前記たるみによって異なる長さに対応することができる。
【０１３９】
つまり、上述した構成の前記サイドアップ機構７４は、第１の実施の形態と同様、前記床板体２５の長さが変更された場合であっても、前記アウタチューブ１２１や前記ワイヤ５９の長さを変えることなく対応できる。
【０１４０】
このように構成された第２の実施の形態のベッド装置によれば、前記ヘッドアップ機構７５Ａは、前記取付けアーム１０１に対して前記可動アーム１０２を直線状に回動させ、その状態で前記可動アーム１０２を前記ロック機構１０８によって回動不能にロックすれば、前記背床部３１の前記中央背部３２を図１２（ｂ）と図１３（ｂ）示すように前方に傾斜させた状態で保持することができる。なお、このとき、一対の前記側部背部３３も前記中央背部３２と一体的に傾斜する。
【０１４１】
それによって、傾斜した前記中央背部３２によって利用者の頭部を起こした状態で支持することができるから、たとえば利用者が食事をとり易い姿勢を維持できるなどのことがある。
【０１４２】
また、前記作動部材１０４を支持した前記支軸１０５は、前記背上げレール５３の前記長孔１０６に係合している。そのため、前記ロック機構１０８によって前記取付けアーム１０１に対して前記可動アーム１０２をロックした状態で、前記背床部３１を前方へ傾斜させたとき、前記取付けアーム１０１と前記可動アーム１０２とがなす長さ寸法以上に前記背床部３１が前方へ傾斜するのが阻止される。
【０１４３】
つまり、前記背床部３１を所定の角度で前方へ傾斜させることができばかりか、傾斜させ過ぎるのを防止することができる。
【０１４４】
一方、前記可動アーム１０２の前記ロック機構１０８によるロック状態を解除すれば、前記中央背部３２を図１２（ａ）と図１３（ａ）に示すように前方に傾斜していない状態で保持される。このとき、前記中央背部３２、つまり前記背床部３１は、外力が加わるなどしても前記ワイヤ５９によって傾斜する方向へガタ付くのが防止される。
【０１４５】
前記サイドアップ機構７４は第１の実施の形態と同様、前記押圧部材６６を作動位置と、非作動位置のどちらかに位置決めする。そして、前記背床部３１を起上させたときに、前記側部背部３３の背面を押圧しながら回動して前方へ回動させる状態と、回動させずに前記側部背部３３押圧しない状態とのいずれかに設定する。
【０１４６】
したがって、前記背床部３１を起上方向に駆動させるとき、前記ヘッドアップ機構７５Ａと前記サイドアップ機構７４を選択的に作動させるよう設定することができる。つまり、前記ヘッドアップ機構７５Ａと前記サイドアップ機構７４のどちらか一方、或いは両方を動作させることができるから、利用者の希望に応じた状態で利用することができる。
【０１４７】
なお、前記ヘッドアップ機構７５Ａは、前記背上げ機構３７を駆動して前記背床部３１を起上させるか否に係らず、前記ロック機構１０８によって前記取付けアーム１０１に前記可動アーム１０２を回動不能なロック状態に保持すれば、前記中央背部３２を前方に傾斜した状態に維持することができる。
【０１４８】
上述した第１、第２の実施の形態では、背上げ時に前記作動軸を回転させる手段としての伝動部材にワイヤを用いるようにしている。伝動部材としては前記ワイヤに代え、前記作動軸を伝動モータなどの回転駆動源によって回転させることができるようにし、前記回転駆動源を前記背床部の背上げ時に、前記背上げ駆動機構と連動して作動させるようにしてもよい。
【符号の説明】
【０１４９】
１１…本体フレーム部、１２…調整フレーム、１５…ベッドフレーム、２５…床板体、２６…固定床部、２７…第１の腰床部、２８…第２の腰床部、２９…連結部、３１…背床部、３２…中央背部、３３…側部背部、３５…第１の脚床部、３６…第２の脚床部、３７…背上げ駆動機構、３８…駆動部、５６…作動軸、５８…アーム（取付け部材）、５９…ワイヤ（伝動部材）、６６…押圧部材、６９…ストッパ部材、７２…取付け軸、７３…保持部材、７４…サイドアップ機構、７５…ヘッドアップ機構、７６…ヘッドアップガイド、７９…ヘッドアップローラ、８１…第１のガイド溝、８２…第２のガイド溝、８３…位置決め部材、８４…アーム部材、８６…操作部材、１０１…取付けアーム、１０２…可動アーム、１０４…作動部材（規制手段）、１１０…支軸（規制手段）、１０８…ロック機構、１１２…ロック用ロッド。
【図１】
2020081832.tif 000003
【図２】
2020081832.tif 000004
【図３】
2020081832.tif 000005
【図４】
2020081832.tif 000006
【図５】
2020081832.tif 000007
【図６】
2020081832.tif 000008
【図７】
2020081832.tif 000009
【図８】
2020081832.tif 000010
【図９】
2020081832.tif 000011
【図１０】
2020081832.tif 000012
【図１１】
2020081832.tif 000013
【図１２】
2020081832.tif 000014
【図１３】
2020081832.tif 000015
【図１４】
2020081832.tif 000016
【図１５】
2020081832.tif 000017